(57)【要約】【課題】端子金具の接続信頼性を確保する。【解決手段】雌コネクタＦは、筒状のアウターハウジング３０と、アウターハウジング３０内に収容されるばね部材５０と、アウターハウジング３０内に収容され、アウターハウジング３０の奥壁３２との間にばね部材５０を挟み込むとともに、電線Ｗに接続された端子金具６０を収容可能なキャビティ１４を有し、相手の雄コネクタのフード部がアウターハウジング３０に嵌合されることでフード部に押し込まれて奥壁３２との間にばね部材５０を介してフローティング支持されるインナーハウジング１０とを備える。奥壁３２の後面にはカバー９０がヒンジ部９２を介して一体に接続される。カバー９０の内面は電線Ｗに嵌着された振動吸収部材８０が密着される密着部９１として構成される。【選択図】図６
2007165191.tif 000002
【特許請求の範囲】
【請求項１】
一端が奥壁で閉じられた筒状のアウターハウジングと、
前記アウターハウジング内に収容されるばね部材と、
前記アウターハウジング内に収容され、前記奥壁との間に前記ばね部材を挟み込むとともに、電線に接続された端子金具を収容可能なキャビティを有し、かつ、相手の端子金具を収容した相手ハウジングが前記アウターハウジングに嵌合されることでこの相手ハウジングに押し込まれて前記奥壁との間に前記ばね部材を介してフローティング支持されるインナーハウジングとを備え、
前記インナーハウジングと前記アウターハウジングのいずれか一方には、前記電線との間に振動吸収部材を介在させた密着部が設けられていることを特徴とするコネクタ。
【請求項２】
前記奥壁には、前記電線が引き出される導出口が開口して形成され、前記密着部は、前記奥壁における前記導出口の口縁部に接続されたカバーの内面に設けられていることを特徴とする請求項１に記載のコネクタ。
【請求項３】
前記カバーは前記振動吸収部材を挟むようにして合体される一対の半割体からなり、両半割体が前記奥壁における前記導出口の口縁部に対しヒンジを介して一体に連結されていることを特徴とする請求項２に記載のコネクタ。
【請求項４】
前記電線には、前記キャビティの内周面に密着してシールするシール栓が嵌着されており、このシール栓と前記振動吸収部材とが別体として電線軸方向に並んで設けられていることを特徴とする請求項１ないし請求項３のいずれかに記載のコネクタ。
【請求項５】
相互に嵌合可能な一対のコネクタハウジングのうちの一方のコネクタハウジングには電線に接続された端子金具を収容可能なキャビティが形成され、このコネクタハウジングの後面には、前記キャビティと連通して前記電線が引き出される導出口が開口して形成されるとともに、この導出口の口縁部に、ヒンジ部を介してカバーが開閉可能に接続されており、さらに、前記電線には前記キャビティの内周面に密着可能なシール栓が嵌着され、このシール栓の後方延長部が前記導出口より外部後方へ臨んでいるものであり、
前記カバーが閉じ状態となることにより、前記カバーの内面に前記シール栓の後方延長部が密着状態で保持されることを特徴とするコネクタ。
【発明の詳細な説明】
【技術分野】
【０００１】
本発明は、コネクタに関する。
【背景技術】
【０００２】
コネクタとして、互いに嵌合可能な雌雄一対のハウジングを備え、雌側のハウジングに雌端子金具を収容可能なキャビティを有し、雄側のハウジングに雄端子金具を収容して同雄端子金具のタブを突出させたフード部を有する構造のものが知られている（例えば、特許文献１を参照）。フード部の上壁にはロック孔が貫通して形成され、雌側のハウジングの上面にはロック孔に弾性係止可能なロック突部を有するロックアームが前後方向に延出して形成され、ロック孔にロック突部が係止することで、両ハウジングが離脱規制状態に保持されるとともに、両端子金具が正規深さで導通接続されるようになっている。
【特許文献１】特開平５−１８２７１２号公報
【発明の開示】
【発明が解決しようとする課題】
【０００３】
ところで、コネクタが、例えば、エンジンルームのような振動を受ける箇所で使用されると、振動に伴いキャビティ内にて雌端子金具が遊動することがある。そうすると、両端子金具の接続領域で摺動が生じて、両端子金具の電気的な接続信頼性が損なわれるおそれがある。  
本発明は上記のような事情に基づいて完成されたものであって、端子金具の接続信頼性を確保することを目的とする。
【課題を解決するための手段】
【０００４】
上記の目的を達成するための手段として、請求項１の発明は、一端が奥壁で閉じられた筒状のアウターハウジングと、前記アウターハウジング内に収容されるばね部材と、前記アウターハウジング内に収容され、前記奥壁との間に前記ばね部材を挟み込むとともに、電線に接続された端子金具を収容可能なキャビティを有し、かつ、相手の端子金具を収容した相手ハウジングが前記アウターハウジングに嵌合されることでこの相手ハウジングに押し込まれて前記奥壁との間に前記ばね部材を介してフローティング支持されるインナーハウジングとを備え、
前記インナーハウジングと前記アウターハウジングのいずれか一方には、前記電線との間に振動吸収部材を介在させた密着部が設けられている構成としたところに特徴を有する。
【０００５】
請求項２の発明は、請求項１に記載のものにおいて、前記奥壁には、前記電線が引き出される導出口が開口して形成され、前記密着部は、前記奥壁における前記導出口の口縁部に接続されたカバーの内面に設けられているところに特徴を有する。  
請求項３の発明は、請求項２に記載のものにおいて、前記カバーは前記振動吸収部材を挟むようにして合体される一対の半割体からなり、両半割体が前記奥壁における前記導出口の口縁部に対しヒンジを介して一体に連結されているところに特徴を有する。
【０００６】
請求項４の発明は、請求項１ないし請求項３のいずれかに記載のものにおいて、前記電線には、前記キャビティの内周面に密着してシールするシール栓が嵌着されており、このシール栓と前記振動吸収部材とが別体として電線軸方向に並んで設けられているところに特徴を有する。
【０００７】
請求項５の発明は、相互に嵌合可能な一対のコネクタハウジングのうちの一方のコネクタハウジングには電線に接続された端子金具を収容可能なキャビティが形成され、このコネクタハウジングの後面には、前記キャビティと連通して前記電線が引き出される導出口が開口して形成されるとともに、この導出口の口縁部に、ヒンジ部を介してカバーが開閉可能に接続されており、さらに、前記電線には前記キャビティの内周面に密着可能なシール栓が嵌着され、このシール栓の後方延長部が前記導出口より外部後方へ臨んでいるものであり、前記カバーが閉じ状態となることにより、前記カバーの内面に前記シール栓の後方延長部が密着状態で保持される構成としたところに特徴を有する。
【発明の効果】
【０００８】
＜請求項１の発明＞
アウターハウジングに相手ハウジングが嵌合すると、インナーハウジングが相手ハウジングとアウターハウジングとの間にばね部材を介してフローティング支持されるから、その後に振動が生じるとその振動によって動く相手ハウジングに対してインナーハウジングが追従変位することになり、振動に起因する端子金具同士の磨耗を抑えることができる。
しかも、端子金具に接続された電線とインナーハウジング及びアウターハウジングのいずれか一方に設けられた密着部との間には振動吸収部材が介在されているから、仮に電線が振動してもその振動が両端子金具の接続領域に伝わるのを抑えることができる。
【０００９】
＜請求項２の発明＞
奥壁には電線が引き出される導出口が開口して形成され、密着部が奥壁における導出口の口縁部に接続されたカバーの内面に設けられているから、両端子金具の接続領域から離れた位置で電線の振動を効果的に抑えることができ、両端子金具の接続領域に伝わる振動力を小さくすることができる。  
＜請求項３の発明＞
カバーは振動吸収部材を挟むようにして合体される一対の半割体からなり、両半割体が奥壁における導出口の口縁部に対しヒンジを介して一体に連結されているから、両半割体を合体させるに伴って振動吸収部材を簡単に組み付けることができる。また、部品点数を削減することができる。
【００１０】
＜請求項４の発明＞
電線にはキャビティの内周面に密着してシールするシール栓が嵌着されており、このシール栓と振動吸収部材とが電線軸方向に別体として並んで設けられているから、振動吸収部材の組み付け時に、シール栓をキャビティに挿入するときに受ける挿入抵抗を生じさせることがなく、作業性の低下を回避できる。
【００１１】
＜請求項５の発明＞
電線にはキャビティの内周面に密着可能なシール栓が嵌着され、このシール栓の後方延長部がコネクタハウジングの導出口より外部後方へ臨んでおり、さらに導出口の口縁部にヒンジを介して接続されたカバーが閉じ状態となることにより、カバーの内面にシール栓の後方延長部が密着状態で保持されるから、電線が振動してもその振動力がキャビティ内に挿入された端子金具にまで伝わるのを抑制できる。これにより、両コネクタハウジングに収容された端子金具同士の磨耗を抑えることができる。そして、両端子金具の接続領域から離れた位置で電線の振動を抑えることができるので、両端子金具の接続領域に伝わる振動力をより小さくできる。また、シール栓の後方延長部を振動吸収部材として機能させているから、別に振動吸収部材を設けるよりも部品点数を削減でき、低コスト化を実現することができる。
【発明を実施するための最良の形態】
【００１２】
＜実施形態１＞
本発明の実施形態１を図１ないし図６によって説明する。本実施形態は、互いに嵌合可能な雌雄一対のコネクタのうちの雌コネクタＦを例示するものであり、インナーハウジング１０、アウターハウジング３０、ばね部材５０を備えて構成されている。なお、以下の説明において、前後方向については両コネクタの互いの嵌合面側を前方とし、上下方向については図２を基準とする。
【００１３】
インナーハウジング１０は、合成樹脂材により形成され、図６に示すように、略ブロック状の本体部１１と、この本体部１１の後端外周から全周に亘って張り出すフランジ部１２と、本体部１１（フランジ部１２）の後端面から後方へ突出する嵌合筒部１３とからなり、横並びで配された２つのキャビティ１４が前後方向に貫通して形成されている。両キャビティ１４には後方から雌側の端子金具６０が挿入され、端子金具６０の前端がキャビティ１４の前壁に当て止めされ、その位置で端子金具６０が正規挿入されるようになっている。  
端子金具６０は、箱部６１とその後方において前後に並んで配されるワイヤバレル６２及びインシュレーションバレル６３とからなり、ワイヤバレル６２が電線Ｗの端末に露出する芯線６５にかしめ付けにより接続されるとともに、インシュレーションバレル６３が電線Ｗの端末被覆６６に嵌着されたゴム栓などのシール栓７０にかしめ付けられる。シール栓７０は、円筒状をなして前後方向に延出する形態とされ、その外周面がキャビティ１４の内周面に密着されてキャビティ１４内のシールをとるようになっている。シール栓７０の後端部は、キャビティ１４の外部後方へ露出状態で配されている。
【００１４】
本体部１１におけるキャビティ１４の内壁には、前方へ向けて片持ち状に突出するランス１５が設けられている。ランス１５はその根元を支点として上下方向に撓み変形可能とされ、正規挿入された端子金具６０の箱部６１に弾性係止するようになっている。本体部１１の側面にはリテーナ７５の装着孔１６が開口して形成され、この装着孔１６が両キャビティ１４を幅方向に貫通している。リテーナ７５は、いわゆるサイドリテーナであって合成樹脂材により形成され、装着孔１６の開口を閉止可能な平板状の操作板７６と、操作板７６から突出する櫛歯状の端子係止板７７とを備え、端子係止板７７が正規挿入された端子金具６０の箱部６１の後端に係止して、ランス１５とともに端子金具６０を二重係止するようになっている。
【００１５】
フランジ部１２の先端面には、図４に示すように、左右一対の係合部１７が突設されている。係合部１７は、アウターハウジング３０に設けられた係合受け溝３１に係合可能とされている。インナーハウジング１０は、係合部１７が係合受け溝３１に嵌入された状態で係合受け溝３１に沿って前後方向に移動可能とされる。そして、フランジ部１２の前面の先端部には、全周に亘って凹所１８が設けられており、この凹所１８に対し、図示しない相手の雄コネクタに備わる筒状のフード部が前方から突入可能とされている。凹所１８の内面には、周方向に間隔をあけて複数の位置決め突起２９が設けられており、これら位置決め突起２９がフード部の壁面に食い込み可能となっている。また、フランジ部１２の前面の根元部には、全周に亘って凹溝１９が設けられている。本体部１１の外周面には環状のシール部材２０が嵌め付けられ、このシール部材２０の後端薄肉部が凹溝１９に進入可能とされている。シール部材２０は、フード部の内周面と本体部１１の外周面とに密着されて、雌雄の両コネクタ間のシールをとるものである。この場合にフード部は、シール部材２０によって拡開方向へ付勢されるが、その前端縁が凹所１８の内面に当接することによってそれ以上の拡開動作が阻止されるようになっている。
【００１６】
また、本体部１１には前方からフロント部材２１が被せ付けられる。フロント部材２１は、合成樹脂材によってキャップ状に形成され、フランジ部１２との間にシール部材２０を挟み込んでこのシール部材２０の前後移動を規制するようになっている。フロント部材２１の先端部にはシール部材２０の前端薄肉部が進入可能な凹陥溝２２が形成されている。シール部材２０は、その前後両端薄肉部を凹溝１９と凹陥溝２２の両溝面にそれぞれ進入させることで本体部１１の外周面からの浮き上がりを規制されている。フロント部材２１の前壁には、各キャビティ１４と対応する位置に、雄側の端子金具の挿抜動作を許容する端子挿通口２３が開口して形成されている。フロント部材２１の周壁の内周面には、係止突部２４が設けられており、本体部１１の外周面には、係止突部２４と対応する位置に、係止受け部２５が凹設されている。フロント部材２１が本体部１１に対し正規深さで被せ付けられると、係止突部２４が係止受け部２５に弾性係止してフロント部材２１の抜け止めがなされる。
【００１７】
ばね部材５０は、板ばね材からなり、金属板を所定形状に切断したあと曲げ加工を施して形成される。ばね部材５０はその対角４角から斜め前方内側へ向けて折り返された弾性支持片５１を備え、これら弾性支持片５１の自由端部がインナーハウジング１０のフランジ部１２の後端面を押圧し、常にはインナーハウジング１０を前方へ付勢するようになっている。
【００１８】
アウターハウジング３０は、後壁に相当する奥壁３２とその周縁から前方へ突出する外筒壁３３とからなり、外筒壁３３とインナーハウジング１０との間に、相手の雄コネクタのフード部が嵌入可能とされている。アウターハウジング３０にはその前面開口からばね部材５０とインナーハウジング１０がこの順に挿入され、奥壁３２にばね部材５０が当着されるとともに、ばね部材５０にインナーハウジング１０が弾性支持されるようになっている。奥壁３２にはインナーハウジング１０の嵌合筒部１３を遊挿状態で嵌通させる導出口３４が開口して形成されており、ここから電線Ｗが引き出されるようになっている。
【００１９】
外筒壁３３の上部には、雄コネクタ側のロック受け部と係止可能なロックアーム３５が設けられている。ロックアーム３５は、外筒壁３３の上部を切り欠いて形成されたアーム形成空間３６に配されている。詳しくは、ロックアーム３５は、外筒壁３３の上部と略同じ高さ位置で前後方向に延びる形態をなし、アーム形成空間３６の両側縁部に接続された一対の連結片３７を介して撓み変形可能とされている。ロックアーム３５の後端部には、ロック受け部とのロック状態を解除するためのアーム操作部３８が幅広に設けられている。また、外筒壁３３の上部には、アーム形成空間３６内の両側縁から内向きに突出してアーム操作部３８の両側縁上方を覆う一対の張り出し部３９が設けられており、ロックアーム３５の捲り上がりを規制可能としてある。ロックアーム３５の前端部には平面視して略方形状のロック孔４１が貫設され、このロック孔４１にロック受け部が弾性的に嵌合することで両コネクタが離脱規制状態に保持される。ロックアーム３５の下面のうち、ロック孔４１より後方領域には、前後方向に延びて後面に開口する切り溝４２が設けられている。
【００２０】
外筒壁３３の上部には、アーム形成空間３６の前方領域を幅方向に横切るようにしてブリッジ部４３が設けられている。ロックアーム３５の前端部は、前下がりとなってブリッジ部４３よりも下位にあり、正面から見るとその前面が外筒壁３３の前面開口から視認可能となっている。
【００２１】
外筒壁３３の両側部の内面には、インナーハウジング１０側の係合部１７と対応する位置に、左右一対の係合受け溝３１が前後方向に延出して設けられている。係合受け溝３１の前後方向途中位置にはその溝幅を狭めるように肉盛りされた抜け止め部４４が形成されている。そして、外筒壁３３の両側部のうち、係合受け溝３１を挟んだ上下位置には、図５に示すように、前後方向に延びて奥壁３２に開口する一対のスリット４５（両側部で計二対のスリット４５）が設けられている。外筒壁３３の両側部のうち、上下の両スリット４５間には、係合受け溝３１を含んで撓み片４６が形成されている。インナーハウジング１０の装着過程では、撓み片４６が外側へ拡開変形することで抜け止め部４４に対する係合部１７の乗り越え動作が許容され、インナーハウジング１０が正規装着されると、撓み片４６が弾性復帰して係合部１７が抜け止め部４４と抜け方向で対面し、もってインナーハウジング１０がアウターハウジング３０から抜け止めされるようになっている。
【００２２】
さて、電線Ｗには、シール栓７０よりも後方の離れた位置に同シール栓７０とは別体とされた振動吸収部材８０が嵌着されている。振動吸収部材８０は、ゴム材等の緩衝材により略角ブロック状に形成されており、シール栓７０よりも肉厚とされ、その中心部には電線密着孔８１が貫通して形成されている。振動吸収部材８０の内周面（電線密着孔８１の孔面）は横並びに配された二本の電線Ｗの外周面に密着され、振動吸収部材８０の外周面は後述するカバー９０の内周面（密着部９１）に密着されるようになっている。
【００２３】
アウターハウジング３０には、上記した振動吸収部材８０を密着状態で保持するための保持手段が備わっている。すなわち、アウターハウジング３０の奥壁３２における導出口３４の口縁部には、図２に示すように、導出口３４の周囲を取り囲むようにして枠部２６が設けられている。枠部２６は、幅方向に延びる上下一対の長辺部２７と、高さ方向に延びる左右一対の短辺部２８とからなり、背面から見ると全体として略方形状をなしている。そして、両短辺部２８には、ヒンジ部９２を介して開閉可能とされた左右一対の半割体９５Ａ，９５Ｂが一体に接続されている。ヒンジ部９２は、可撓性で帯状をなす薄肉片からなり、両短辺部２８における上下位置にて間隔をあけて左右二対設けられている。
【００２４】
また、両半割体９５Ａ，９５Ｂは、略椀状をなし、相互に約１８０度開いた初期状態（図１及び図２に示す状態）からヒンジ部９２を介して閉じ方向に回動され、これにより振動吸収部材８０を挟み込み、さらに相互の端縁同士が突き合わさることで、略筒状をなすカバー９０を形成するようになっている。両半割体９５Ａ，９５Ｂのうちの一方の半割体９５Ａ（図２に示す左側）には、略門型をなし内側に係止孔９６を備えた係止片９７が、同半割体９５Ａの上下両端縁から一対ずつ計二対突出して形成され、他方の半割体９５Ｂには、係止片９７と対応する位置に、両半割体９５Ａ，９５Ｂの合体に伴って係止孔９６に弾性係止可能な係止突起９８が形成されている。係止突起９８が係止片９７に弾性係止されることで、両半割体９５Ａ，９５Ｂが閉じ状態に保たれて振動吸収部材８０を内包しつつカバー９０を構成するようになっている。
【００２５】
カバー９０は、導出口３４から引き出される電線Ｗの周りを包囲するとともに振動吸収部材８０を遊動規制状態に保持する形態とされ、図３に示すように、その前端部８７が幅広に形成されるとともに、その後端部８９が幅狭に形成され、かつ、前端部８７から後端部８９にかけて除々に幅狭となる中間部８８を備えている。カバー９０の後端面は、図５に示すように、その中央に設けられた電線引出口９９を除いて閉止され、電線引出口９９からは横並びに配された二本の電線Ｗが遊挿状態で引き出される。
【００２６】
そして、カバー９０の内周面には、上記した前端部８７と中間部８８との境界領域と対応する位置に、全周に亘ってリブ８６が立てられている。振動収集部材は、リブ８６とカバー９０の後壁との間に配され、その前端でリブ８６と当接することで前方移動が規制され、その後端でカバー９０の後壁と当接することで後方移動が規制され、もって前後方向に位置決めされるようになっている。カバー９０の内周面のうち、リブ８６より後方領域は、振動吸収部材８０の外周面と密着状態で当接され、本発明の密着部９１として構成されている。
【００２７】
本実施形態は上述のような構成であり、続いてその作用を説明する。まず、アウターハウジング３０にばね部材５０を差し入れて奥壁３２に留め付け、さらにインナーハウジング１０を差し入れて、ばね部材５０の弾性支持片５１に当接させる。インナーハウジング１０の差し入れ時には、アウターハウジング３０の係合受け溝３１に係合部１７を摺動させる。インナーハウジング１０が正規装着されると、係合部１７が抜け止め部４４に抜け止め状態で係止され、またばね部材５０の弾性支持片５１が軽く弾縮された状態になる。
【００２８】
そして、インナーハウジング１０のキャビティ１４内に後方から電線Ｗの端末に圧着接続された端子金具６０を挿入し、電線Ｗの端末被覆６６に嵌着されたシール栓７０にてキャビティ１４内を液密状となす。この間、両半割体９５Ａ，９５Ｂを開き状態（初期状態）に保持し、また電線Ｗにおけるシール栓７０よりも後方位置に振動吸収部材８０を予め取り付けておく。次いで、本体部１１に装着されたリテーナ７５を深く差し込み、キャビティ１４内に正規挿入された端子金具６０を抜け止め状態で係止する。
【００２９】
インナーハウジング１０が装着された後、機器の壁面に直結されて待ち受け状態にある雄コネクタに対し前方から雌コネクタＦを嵌合させる。両コネクタの嵌合途中では、フード部の前端がフランジ部１２の凹所１８の内面に押し当てられ、その押し当て状態を保ちながらインナーハウジング１０が嵌合方向に沿って少し後退する。両コネクタが正規嵌合されると、ロック受け部にロックアーム３５が弾性係止して両コネクタが離脱規制状態に保持されるとともに、抜け止め部４４から係合部１７が離間してインナーハウジング１０が遊動許容空間へ移動する。これにより、インナーハウジング１０がアウターハウジング３０の奥壁３２と雄コネクタとの間に、ばね部材５０を介して嵌合方向にフローティング支持され、雄コネクタと一体的に挙動可能となる。
【００３０】
その後、あるいは両コネクタの嵌合操作に先立ち、両半割体９５Ａ，９５Ｂをヒンジを支点として回動させ、図１から図３にかけて示すように、振動吸収部材８０を左右両側から挟み込むようにして相互に合体させる。すると、係止片９７と係止突起９８とが互いに係止し合ってカバー９０が形成されるとともに、カバー９０の密着部９１に対して振動吸収部材８０が遊動規制状態に密着される。電線Ｗは、図６に示すように、シール栓７０から引き出されて略一直線上に延びたあとカバー９０の電線引出口９９から外部後方へ露出される。
【００３１】
ところで、両コネクタが嵌合状態にあるときに機器が振動すると、この機器に直結された雄コネクタも振動する。すると、この雄コネクタとアウターハウジング３０との間にフローティング支持されたインナーハウジング１０も雄コネクタの動きに合わせて追従変位し、もって雄コネクタに保持された雄側の端子金具とインナーハウジング１０に保持された雌側の端子金具６０とがその振動のタイミングをほぼ同調させることになる。これにより、雌雄の端子金具同士が振動によって擦れ合う事態を回避できるので、両端子金具の接続信頼性を確保することができる。
【００３２】
また、機器の振動に起因して電線Ｗが軸交差方向に振れたり、あるいは機器の振動とは無関係に電線Ｗが振られたりすると、この振動する電線Ｗにつられて雌側の端子金具６０がキャビティ１４内を前後移動し、ひいては雌雄の両端子金具の接続領域に磨耗を生じさせる懸念がある。しかるに本実施形態においては、アウターハウジング３０に設けられたカバー９０に対し電線Ｗに嵌着された振動吸収部材８０が保持され、この振動吸収部材８０によって両端子金具の接続領域への振動の伝播を抑えることができるので、両端子金具の接続領域に磨耗が生じるなどする事態を確実に防止できる。
【００３３】
また、カバー９０がアウターハウジング３０の奥壁３２における導出口３４の口縁部に接続され、このカバー９０の内側に振動吸収部材８０が保持されることにより、両端子金具の接続領域から離れた位置で電線Ｗの振動を効果的に抑えることができるので、両端子金具の接続領域に伝わる振動力をなお小さくできる。さらに、シール部材２０と振動吸収部材８０とが電線軸方向に別体として並んで設けられているから、振動吸収部材８０の組み付け時に、シール栓７０をキャビティ１４内へ挿入するときに受ける挿入抵抗を生じさせることがなく、作業負担を軽減できる。
【００３４】
＜実施形態２＞
次に、本発明の実施形態２を図７ないし図１０によって説明する。実施形態２の雌コネクタＦは、実施形態１と違って、アウターハウジング３０、インナーハウジング１０、ばね部材５０を備えておらず、インナーハウジング１０による振動吸収作用を発揮し得ない構造となっている。もっとも、実施形態２では、実施形態１よりも部品点数が削減されており、また振動吸収部材８０に相当する部分を含むことによって振動吸収作用を発揮し得る構成となっている。
【００３５】
実施形態２は、フード部を有する相手のコネクタハウジングと嵌合可能なコネクタハウジング１０Ａを備えており、このコネクタハウジング１０Ａは、図１０に示すように、端子収容部５２とその周りを包囲する外筒部５３とにより一体に形成されている。端子収容部５２と外筒部５３との間に前方から相手のフード部が嵌入することで、両コネクタハウジングが嵌合可能となっている。
【００３６】
端子収容部５２には、電線Ｗに嵌着された雌側の端子金具６０を収容可能なキャビティ１４が前後方向に貫通して形成されている。キャビティ１４は、横並びで二室設けられ、それぞれコネクタハウジング１０Ａの後端面にて開口する電線Ｗの導出口３４に連通している。端子金具６０は、実施形態１と同様に、箱部６１、ワイヤバレル６２、インシュレーションバレル６３からなり、インシュレーションバレル６３が電線Ｗの端末被覆６６に嵌着されたシール栓７０Ａにかしめ付けられる。
【００３７】
シール栓７０Ａは、前後方向に長く延出して形成され、その前部がキャビティ１４の内周面に密着されて液密状となすシール本体部７１として構成される一方、その後部が導出口３４からキャビティ１４の外部後方へ配される後方延長部７２として構成される。
【００３８】
また端子収容部５２には、実施形態１と同様に、両コネクタ間のシールをとるシール部材２０が嵌着されるとともに、前方からフロント部材２１が被せ付けられ、さらに側方からリテーナ７５が差し込まれるようになっている。外筒部５３には、リテーナ７５の挿抜を許容するリテーナ挿通口５４が開口して形成されている。また、ロックアーム３５は、外筒部５３の上壁に切り欠かれたアーム形成空間３６に配置され、アーム形成空間３６の両側縁部に接続された一対の連結片３７を介して撓み変形可能とされ、かつ、その後端に細帯状の補助片５５を端子収容部５２側に一体に接続させ、もって撓み変形動作の円滑性が確保されている。
【００３９】
そして、コネクタハウジング１０Ａの後端面には、導出口３４の口縁部にヒンジ部９２を介してカバー９０Ａが接続されている。カバー９０Ａは、左右一対の半割体９５Ａ，９５Ｂからなり、両半割体９５Ａ，９５Ｂが、相互に約１８０度開いた初期状態と、互いの端縁同士を突き合わせた閉じ状態との間を、ヒンジ部９２を支点として回動可能とされている。ヒンジ部９２及びカバー９０Ａは、実施形態１とほぼ同様の構造であるが、カバー９０Ａは、実施形態１より一回り小さく形成され、かつ係止片９７と係止突起９８の個数がそれぞれ一対分減少している。
【００４０】
カバー９０Ａが閉じ状態となったときに、カバー９０Ａの内面にシール栓７０Ａの後方延長部７２が密着状態で保持されるようになっている。後方延長部７２の後端には、外径がシール本体部７１よりも大径とされた被密着部７３が段付き状に設けられており、この被密着部７３の全体がカバー９０Ａの内面に密着状態で当接する。被密着部７３の前側段差面はカバー９０Ａの内面に設けられたリブ８６に当接して前方移動が規制され、被密着部７３の後側面はカバー９０Ａの後壁に当接して後方移動が規制され、これによって前後方向の位置決めがなされるようになっている。
【００４１】
実施形態２によれば、両コネクタが嵌合状態にあるときに電線Ｗが振動しても、カバー９０Ａの内面にシール栓７０Ａの後方延長部７２が密着保持されているから、電線Ｗの振動力が両端子金具の接続領域に伝播するのを抑えることができる。その結果、両端子金具の接続領域に磨耗が生じるのを防止でき、ひいては両端子金具の接続信頼性を確保することができる。
【００４２】
また、シール栓７０Ａに振動吸収部材８０としての機能を兼用させることにより、振動吸収部材８０を別に設けなくて済むから、部品点数を削減できて低コスト化を実現することができる。さらに、シール栓７０Ａの挿入作業と振動吸収部材８０の組み付け作業を別々に行わなくてもよいから、作業上の手間を省くことができる。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）振動吸収部材は、クッション性を有していればよく、例えば、ジェル材によって構成されてもよい。  
（２）振動吸収部材は、例えば、インナーハウジングのキャビティの内周面を密着部としてそこに密着されてもよい。要は振動吸収部材は、インナーハウジングとアウターハウジングのいずれか一方に設けられた密着部に密着することで、電線の振動を抑えることが可能な構成であればよい。  
（３）振動吸収部材またはシール栓の後方延長部とこれに対応する密着部は、雄コネクタ側に設けられていてもよい。
【図面の簡単な説明】
【００４４】
【図１】実施形態１において、カバーが開いた状態にあるときの雌コネクタの平面図
【図２】カバーが開いた状態にあるときの雌コネクタの背面図
【図３】カバーが閉じ状態にあるときの雌コネクタの平面図
【図４】雌コネクタの正面図
【図５】カバーが閉じ状態にあるときの雌コネクタの背面図
【図６】カバーが閉じ状態にあるときの雌コネクタの断面図
【図７】実施形態２において、カバーが閉じ状態にあるときの雌コネクタの平面図
【図８】カバーが閉じ状態にあるときの雌コネクタの側面図
【図９】カバーが閉じ状態にあるときの雌コネクタの背面図
【図１０】カバーが閉じ状態にあるときの雌コネクタの断面図
【符号の説明】
【００４５】
Ｆ…雌コネクタ
Ｗ…電線
１０…インナーハウジング
１４…キャビティ
２０…シール部材
３０…アウターハウジング
３２…奥壁
３３…外筒壁
３４…導出口
３５…ロックアーム
６０…端子金具（雌側の端子金具）
７０…シール栓
８０…振動吸収部材
９０…カバー
９１…密着部
９７…係止片
９８…係止突起
【図１】
2007165191.tif 000003
【図２】
2007165191.tif 000004
【図３】
2007165191.tif 000005
【図４】
2007165191.tif 000006
【図５】
2007165191.tif 000007
【図６】
2007165191.tif 000008
【図７】
2007165191.tif 000009
【図８】
2007165191.tif 000010
【図９】
2007165191.tif 000011
【図１０】
2007165191.tif 000012